(57)【要約】      （修正有）【課題】老人、足の不自由な人の車両との乗降性を向上させるために折畳み手摺と多段ステップを配備し、折畳み操作と、乗降性を著しく向上させる車両用折畳み乗降補助装置を提供する。【解決手段】  車両に固定するベース５の支持板６上に回転可能な一段目ステップ８とロアアーム１０とを第１リンクアーム１３に連結して四辺形を構成し、二段目ステップ１４および三段目ステップ１９を四辺形リンクよって連結する折畳み多段ステップ装置２と、前記支持板より直立する支柱２４と連係アーム２７と手摺支杆２８と手摺連絡パイプ２９を連結して四辺形を形成した折畳み手摺装置３と，前記連係アーム２７の回転が前記ロアアーム１０に伝達されて前記折畳み多段ステップ装置２と折畳み手摺装置３が連携してなる車両用折畳み乗降補助装置。【選択図】図３
2006298282.tif 000002
【特許請求の範囲】
【請求項１】
互いに連動する折畳み多段ステップ装置と折畳み手摺装置とからなる車両用折畳み乗降補助装置。
【請求項２】
折畳み多段ステップ装置の一段目ステップは、車両に固定するベースの支持板の上方軸を中心に回転可能な一段目ステップと、ベースの支持板下方軸を中心に回転可能なロアアームと、一段目ステップと、ロアアームとを軸により第１リンクアームに連結してなる四辺形により角度を一定に保持された状態で回転移動をする請求項１の車両用折畳み乗降補助装置。
【請求項３】
折畳み多段ステップ装置の二段目ステップは、前記一段目ステップと連結する二段目ステップを前記第１リンクアームの軸と上端が前記ロアアームの前端とに軸により連結する第２リンクアームを軸によって連結し、かつロアアームの中間を第１リンクアームの中間に軸により連結し、第１リンクアームおよび二段目ステップが角度を保持させる四辺形により二段目ステップをロアアームによって追従移動する請求項１の車両用折畳み乗降補助装置。
【請求項４】
折畳み多段ステップ装置の三段目ステップは、前記第２リンクアームと、二段目ステップと軸により上端を連結した第３リンクアームと夫々軸にて三段目ステップを連結して構成する四辺形により三段目ステップを追従移動する請求項１の車両用折畳み乗降補助装置。
【請求項５】
折畳み手摺装置、車両に固定するベースの支持板に基端部を支持されて直立する支柱の上端の軸と、支持板の外側縁よりの軸により連係アームと手摺支杆の一方端を連結し、連係アームと手摺支杆の他方端を手摺連絡パイプと軸とにより連結して四辺形を形成し，連係アームのプレート部の連係長孔に前記ロアアームに設けた係合部がガイドされて連係アームの回転がロアアームに伝達されて前記折畳み多段ステップ装置と連係してなる請求項１の車両用折畳み乗降補助装置。
【請求項６】
車両に固定するベースの支持板上の上方軸を中心に回転可能な一段目ステップと、ベースの支持板上の下方軸を中心に回転可能なロアアームとを軸により第１リンクアームに連結して構成される四辺形により一段目ステップと第１リンクアームの角度を保持して回転移動させ、前記一段目ステップと連結する二段目ステップを前記第１リンクアームの軸と上端が前記ロアアームの前端とに軸により連結する第２リンクアームを軸によって連結し、かつロアアームの中間を第１リンクアームの中間に軸により連結し、第１リンクアームおよび二段目ステップが角度を保持させる四辺形により二段目ステップをロアアームによって追従移動し、前記第２リンクアームと、二段目ステップと軸により上端を連結した第３リンクアームと夫々軸にて三段目ステップを連結して構成する四辺形により三段目ステップを追従移動し、展開した状態を定位置で保持する折畳み多段ステップ装置と、車両に固定するベースの支持板に基端部を支持されて直立する支柱の上端の軸と、支持板の外側縁よりの軸により連係アームと手摺支杆の一方端を連結し、連係アームと手摺支杆の他方端を手摺連絡パイプと軸とにより連結して四辺形を形成し，連係アームのプレート部の連係長孔に前記ロアアームに設けた係合部がガイドされて連係アームの回転がロアアームに伝達されて前記折畳み多段ステップ装置と連係してなる折畳み手摺装置とからなる車両用折畳み乗降補助装置。
【発明の詳細な説明】
【技術分野】
【０００１】
本発明は、車両の床面と地面の間に折畳み手摺と多段ステップを連動して展開することにより車両乗降時における利用者の負担を軽減する車両用折畳み乗降補助装置に関するものである。
【背景技術】
【０００２】
従来のバス、ワンボックス車両等の車室床面の高い車両において、最終段の下方に補助ステップを配備するが、その車両用乗降補助ステップは、第１に、特開平４−３３９０４１号公報に開示される如く、車両の乗降口の固定ステップの下方に補助ステップを側外方に出没自在に支架し、必要昇降時に補助ステップを固定ステップの下方側に繰出し、利用できるようにしたものである。すなわち、固定ステップ６に二本のリンク７ａ、７ｂを左右に対応させて配置し、一方側の右側リンクの後側リンク７ｂに、該リンクと一体的に回動する第１レバーが取付けられ駆動源となるロッド９が連結されているものがある。
【特許文献１】特開平４−３３９０４１号公報
【発明の開示】
【発明が解決しようとする課題】
【０００３】
本発明は、車両、特にワンボックスやミニバンタイプの自動車におけるサイドスライドドアに適した折畳み乗降補助装置である。すなわち、乗降時に手摺とステップが３段の多段に連動して展開し、不使用時は手摺およびステップが連動して折畳まれる装置の提供にある。
【課題を解決するための手段】
【０００４】
本発明の車両用折畳み乗降補助装置は、互いに連動する折畳み多段ステップ装置と折畳み手摺装置とからなる車両用折畳み乗降補助装置にある。
【０００５】
本発明の車両用折畳み乗降補助装置の折畳み多段ステップ装置の一段目ステップは、車両に固定するベースの支持板の上方軸を中心に回転可能な一段目ステップと、ベースの支持板下方軸を中心に回転可能なロアアームと、一段目ステップと、ロアアームとを軸により第１リンクアームに連結してなる四辺形により角度を一定に保持された状態で回転移動をするものとしてもよいものである。
【０００６】
本発明の車両用折畳み乗降補助装置の折畳み多段ステップ装置の二段目ステップは、前記一段目ステップと連結する二段目ステップを前記第１リンクアームの軸と上端が前記ロアアームの前端とに軸により連結する第２リンクアームを軸によって連結し、かつロアアームの中間を第１リンクアームの中間に軸により連結し、第１リンクアームおよび二段目ステップが角度を保持させる四辺形により二段目ステップをロアアームによって追従移動するものとしてもよいものである。
【０００７】
本発明の車両用折畳み乗降補助装置の折畳み多段ステップ装置の三段目ステップは、前記第２リンクアームと、二段目ステップと軸により上端を連結した第３リンクアームと夫々軸にて三段目ステップを連結して構成する四辺形により三段目ステップを追従移動するものとしてもよいものである。
【０００８】
本発明の車両用折畳み乗降補助装置の折畳み手摺装置、車両に固定するベースの支持板に基端部を支持されて直立する支柱の上端の軸と、支持板の外側縁よりの軸により連係アームと手摺支杆の一方端を連結し、連係アームと手摺支杆の他方端を手摺連絡パイプと軸とにより連結して四辺形を形成し，連係アームのプレート部の連係長孔に前記ロアアームに設けた係合部がガイドされて連係アームの回転がロアアームに伝達されて前記折畳み多段ステップ装置と連係してなるものとしてもよいものである。請求項１の車両用折畳み乗降補助装置。
【０００９】
車両に固定するベースの支持板上の上方軸を中心に回転可能な一段目ステップと、ベースの支持板上の下方軸を中心に回転可能なロアアームとを軸により第１リンクアームに連結して構成される四辺形により一段目ステップと第１リンクアームの角度を保持して回転移動させ、前記一段目ステップと連結する二段目ステップを前記第１リンクアームの軸と上端が前記ロアアームの前端とに軸により連結する第２リンクアームを軸によって連結し、かつロアアームの中間を第１リンクアームの中間に軸により連結し、第１リンクアームおよび二段目ステップが角度を保持させる四辺形により二段目ステップをロアアームによって追従移動し、前記第２リンクアームと、二段目ステップと軸により上端を連結した第３リンクアームと夫々軸にて三段目ステップを連結して構成する四辺形により三段目ステップを追従移動し、展開した状態を定位置で保持する折畳み多段ステップ装置と、車両に固定するベースの支持板に基端部を支持されて直立する支柱の上端の軸と、支持板の外側縁よりの軸により連係アームと手摺支杆の一方端を連結し、連係アームと手摺支杆の他方端を手摺連絡パイプと軸とにより連結して四辺形を形成し，連係アームのプレート部の連係長孔に前記ロアアームに設けた係合部がガイドされて連係アームの回転がロアアームに伝達されて前記折畳み多段ステップ装置と連係してなる折畳み手摺装置とからなる車両用折畳み乗降補助装置としてもよいものである。
【発明の効果】
【００１０】
本発明の車両用折畳み乗降補助装置は、乗降時に手摺とステップが３段の多段に連動して展開し、不使用時は手摺およびステップが連動して折畳まれるもので、乗降性を考慮して地面に三段目のステップまでの高さを抑えて低くし、以降、二段目、一段目のステップも同じ高さに設定し、足の不自由な人でも乗り降りし易い装置となったものである。
【００１１】
車両のサイドスライドドア乗降口に折畳み多段ステップを配備し、ステップを繰出す動作と連動して手摺りも繰出す機構を採用することにより、乗降の際に手摺りを使用することができ、乗降時の安全を確保している。
【００１２】
手摺りとステップが連動タイプのため、格納状態は、コンパクトに収納される。階段に合わせた傾斜の手摺りとなっているため、車両の乗降の際に非常に使いやすくなっている。
【発明を実施するための最良の形態】
【００１３】
車両に固定するベースの支持板上の上方軸を中心に回転可能な一段目ステップと、ベースの支持板上の下方軸を中心に回転可能なロアアームとを軸により第１リンクアームに連結して構成される四辺形により一段目ステップと第１リンクアームの角度を保持して回転移動させ、前記一段目ステップと連結する二段目ステップを前記第１リンクアームの軸と上端が前記ロアアームの前端とに軸により連結する第２リンクアームを軸によって連結し、かつロアアームの中間を第１リンクアームの中間に軸により連結し、第１リンクアームおよび二段目ステップが角度を保持させる四辺形により二段目ステップをロアアームによって追従移動し、前記第２リンクアームと、二段目ステップと軸により上端を連結した第３リンクアームと夫々軸にて三段目ステップを連結して構成する四辺形により三段目ステップを追従移動し、ロアアームの基端部下縁がベースに接触する状態回転を停止し、展開した状態を保持する折畳み多段ステップ装置と、車両に固定するベースの支持板に基端部を支持されて直立する支柱の上端の軸と、支持板の外側縁よりの軸により連係アームと手摺支杆の一方端を連結し、連係アームと手摺支杆の他方端を手摺連絡パイプと軸とにより連結して四辺形を形成し，連係アームのプレート部の連係長孔に前記ロアアームに設けた係合部がガイドされて連係アームの回転がロアアームに伝達されて前記折畳み多段ステップ装置と連係してなる折畳み手摺装置とからなる車両用折畳み乗降補助装置。
【実施例】
【００１４】
以下、本発明の車両用折畳み乗降補助装置を、その実施の一例である図面に示す車両用折畳み乗降補助装置１より説明すると、先ず、折畳み多段ステップ装置２と折畳み手摺装置３とに分けて説明する。
【００１５】
折畳み多段ステップ装置２は、車両４に固定するベース５の支持板６の上方軸７を中心に回転可能な一段目ステップ８と、ベース５の支持板６の下方軸９を中心に回転可能なロアアーム１０と、一段目ステップ８と、ロアアーム１０とに軸１１、１２で第１リンクアーム１３により作られる四辺形により第１リンクアーム１３は角度を一定に保持された状態で回転移動をすることができる。
【００１６】
二段目ステップ１４は、第１リンクアーム１３の軸１５と第２リンクアーム１６の軸１７によって連結している。第１リンクアーム１３が一定の角度を保持するので、軸１５を固定端と仮に想定すると、ロアアーム１０によってその先端の軸１８は回転移動するので、四辺形が変形する。そのため二段目ステップ１４は移動をする。
【００１７】
三段目ステップ１９も二段目ステップ１４と同様に軸２０にて前記第２リンクアーム１６と、二段目ステップ１４と軸２１に上端を連結した第３リンクアーム２２と軸２３にて連結しているため四辺形の変形により図面に示すように移動する。そして、ロアアーム１０の基端部下縁１０ａがベース５に接触する状態回転を停止し、展開した状態を保持する。
【００１８】
反対にロアアーム１０を回転したとき、角度を保持されている第１リンクアーム１３、第２リンクアーム１６および第３リンクアーム２２が図面に示すように、重なり合うので格納位置に移動し、それら第１リンクアーム１３、第２リンクアーム１６、第３リンクアーム２２と一段目ステップ８、二段目ステップ１４、三段目ステップ１９は直立になる。
【００１９】
次に折畳み手摺装置３について説明すると、車両４に固定するベース５の支持板６に基端部を支持されて直立する支柱２４の上端の軸２５と、支持板６の外側縁よりの軸２６により連係アーム２７と手摺支杆２８の一方端を連結し、連係アーム２７と手摺支杆２８の他方端を手摺連絡パイプ２９と軸３０と軸３１とにより連結して四辺形が作られる。手摺支杆２８に手摺パイプ３２は固定されている。
【００２０】
手摺パイプ３２は、操作レバーを兼用しており、手摺パイプ３２の先端を持って操作するのが望ましい。つまり手摺パイプ３２を回転させると連係アーム２７も回転する。
【００２１】
連係アーム２７のプレート部２７ａの連係長孔３３に前記ロアアーム１０に設けたローラー３４がガイドされて連係アーム２７の回転がロアアーム１０に伝達される。ロアアーム１０に回転力が伝達されることによって、折畳み機構が成立する。また、リンクの比率によって軽い操作力でロアアーム１０を回転させることができる。そのため、力の弱い女性、老人といった人々でも操作し易くなっている。さらに、手摺支杆２８とベース５に連結されているガススプリング３５によって操作力を軽減している。
【００２２】
前記連係アーム２７における手摺連絡パイプ２９との連結端側にロックプレート３６を軸３７により回動自在に支承し、手摺およびステップの折畳み時に、ロックプレート３６をレバー３８の操作で回動し、ロックプレート３６の係合溝３９を支柱２４上のロック軸４０に係合し、折畳み状態にロックできるように設けている。
【００２３】
この発明の車両用折畳み乗降補助装置は、前述のように構成されるから、図４および図５に示すように一段目ステップ８、二段目ステップ１４、三段目ステップ１９を、手摺パイプ３２を操作することにより展開することができ、また図１および図２に示すように折畳むことができるものである。
【産業上の利用可能性】
【００２４】
この発明の車両用乗降補助ステップ装置は、従来、バス、ワンボックスカー等の床面に高い車両において、見落とされていた老人、足の不自由な人の昇降についてより一層に親切な設備となるものである。
【図面の簡単な説明】
【００２５】
【図１】本発明の車両用折畳み乗降補助装置における折畳み手摺、多段ステップの格納状態を示す正面図である。
【図２】同じく、本発明の車両用折畳み乗降補助装置における折畳み手摺、多段ステップの格納状態を示す側面図である。
【図３】本発明の車両用折畳み乗降補助装置の折畳み手摺、多段ステップの車両より外方に展開した使用状態を示す側面図である。
【図４】ａ、ｂ、ｃは、本発明の車両用折畳み乗降補助装置の折畳み手摺、多段ステップの車両より外方に展開した展開開始状態と、その手摺、多段ステップと連係アームの連係状態を示す第１作動説明図である。
【図５】ａ、ｂ、ｃは、同じく、本発明の車両用折畳み乗降補助装置の折畳み手摺、多段ステップの車両より外方に展開した展開終了状態と、手摺、多段ステップと連係アームの連係状態を示す第２作動説明図である。
【符号の説明】
【００２６】
１  車両用折畳み乗降補助装置
２  折畳み多段ステップ装置
３  折畳み手摺装置
４  車両
５  ベース
６  支持板
７  上方軸
８  一段目ステップ
９  下方軸
１０  ロアアーム
１０ａ  基端部下縁
１１  軸
１２  軸
１３  第１リンクアーム
１４  二段目ステップ
１５  軸
１６  第２リンクアーム
１７  軸
１８  軸
１９  三段目ステップ
２０  軸
２１  軸
２２  第３リンクアーム
２３  軸
２４  支柱
２５  軸
２６  軸
２７  連係アーム
２７ａ  プレート部
２８  手摺支杆
２９  手摺連絡パイプ
３０  軸
３１  軸
３２  手摺パイプ
３３  連係長孔
３４  ローラー
３５  ガススプリング
３６  ロックプレート
３７  軸
３８  レバー
３９  係合溝
４０  ロック軸
【図１】
2006298282.tif 000003
【図２】
2006298282.tif 000004
【図３】
2006298282.tif 000005
【図４】
2006298282.tif 000006
【図５】
2006298282.tif 000007